(57)【要約】【課題】  搬送装置の円滑で確実な搬送動作を保障しつつプレス機械の持つ特性を十二分に発揮できるようにする。【解決手段】指定情報記憶手段と工程進行制御手段と現在指定スライド位置抽出手段とスライド用入力信号切換制御手段と現在指定搬送位置抽出手段と搬送用入力信号切換制御手段とを設け、工程番号を一定の速度で一定方向に進行させ、進行中に読み取った現在工程番号に対応する現在指定スライド位置を抽出可能かつスライド制御装置への入力信号を抽出現在指定スライド位置に相当する信号に切換可能であるとともに、現在工程番号に対応する現在指定搬送位置を抽出可能かつ搬送制御装置への入力信号を抽出現在指定搬送位置に相当する信号に切換可能で、工程進行開始命令が発せられる度に現在工程番号の読み取りから信号切換え入力までを繰り返して実行可能に形成されている。【選択図】  図１
2005297010.tif 000002
【特許請求の範囲】
【請求項１】
スライド制御装置によってスライド昇降用モータを駆動しつつスライドを入力された目標スライド位置信号に対応する位置に昇降制御するとともに搬送制御装置によって搬送用モータを駆動しつつ搬送用部材を入力された目標搬送位置信号に対応する位置に搬送制御し、搬送された加工用材料に所定のプレス加工を施すトランスファプレス運転方法であって、
横軸が工程番号で縦軸が指定スライド位置である指定スライド軌跡情報および指定搬送位置である指定搬送軌跡情報を記憶しておき、
工程進行開始命令に基づき工程番号を最初の工程番号から最後の工程番号に向かう一方向に一定の速度で進行させ、
指定スライド軌跡情報を参照して、進行中に読み取った現在工程番号に対応する現在指定スライド位置を抽出しかつ前記目標スライド位置信号を抽出された現在指定スライド位置に相当する信号に切換えるとともに、
指定搬送軌跡情報を参照して、読み取った現在工程番号に対応する現在指定搬送位置を抽出しかつ前記目標搬送位置信号を抽出された現在指定搬送位置に相当する信号に切換え、
最後の工程番号に到達した以降に再び発せられる工程進行開始命令に基づき工程番号を最初の工程番号から最後の工程番号に向かう一方向に一定の速度で再び進行させかつ現在工程番号の読み取りから目標スライド位置信号および目標搬送位置信号の切換えまでを繰り返して実行させる、ことを特徴とするトランスファプレス運転方法。
【請求項２】
スライド制御装置によってスライド昇降用モータを駆動制御しつつスライドを入力された目標スライド位置信号に対応する位置に昇降制御可能かつ搬送制御装置によって搬送用モータを駆動制御しつつ搬送用部材を入力された目標搬送位置信号に対応する位置に搬送制御可能であるとともに搬送された加工用材料に所定のプレス加工を実施可能に形成されたトランスファプレス機械において、
横軸が工程番号で縦軸が指定スライド位置である指定スライド軌跡情報および指定搬送位置である指定搬送軌跡情報を記憶可能な指定情報記憶手段と、工程進行開始命令に基づき最初の工程番号から最後の工程番号までの工程を一定の速度で進行させる工程進行制御手段とを設け、
記憶された指定スライド軌跡情報を参照して、進行中に読み取った現在工程番号に対応する現在指定スライド位置を抽出する現在指定スライド位置抽出手段と、前記スライド制御装置に入力する目標スライド位置信号を抽出された現在指定スライド位置に相当する信号に切換えるスライド用入力信号切換制御手段と設け、
記憶された指定搬送軌跡情報を参照して、進行中に読み取った現在工程番号に対応する現在指定搬送位置を抽出する現在指定搬送位置抽出手段と、前記搬送制御装置に入力する目標搬送位置信号を抽出された現在指定搬送位置に相当する信号に切換える搬送用入力信号切換制御手段と設け、
工程進行制御手段，現在指定スライド位置抽出手段，スライド入力信号切換制御手段，現在指定搬送位置抽出手段および搬送用入力信号切換制御手段を、工程進行開始命令が発せられる度に繰り返して実行可能に形成された、トランスファプレス機械。
【請求項３】
前記スライド昇降用モータの回転運動をクランク機構を介して前記スライドの上下運動に変換可能に形成しかつプレス加工領域を挟む一方の反転位置を検出する一方反転位置検出手段と他方の反転位置を検出する他方反転位置検出手段とを設け、前記工程進行制御手段が各反転位置検出手段によって当該各反転位置が検出されたことを条件に前記工程進行開始命令を自動的に出力可能に形成されている、請求項２記載のトランスファプレス機械。
【請求項４】
スライド制御および搬送制御のいずれか一方を単独駆動対象として選択する単独駆動対象選択手段と、この単独駆動対象選択手段を用いてスライド制御が選択された場合に前記現在指定スライド位置抽出手段およびスライド用入力信号切換制御手段を単独駆動可能に切換え、搬送制御が選択された場合には前記現在指定搬送位置抽出手段および搬送用入力信号切換制御手段を単独駆動可能に切換える単独駆動切換制御手段とを設けた、請求項２または請求項３に記載されたトランスファプレス機械。
【発明の詳細な説明】
【技術分野】
【０００１】
本発明は、スライド制御装置によってスライド昇降用モータを駆動しつつスライドを入力目標スライド位置信号に対応する位置に昇降制御し、搬送制御装置によって搬送用モータを駆動しつつ搬送用部材を入力目標搬送位置信号に対応する位置に搬送制御し、搬送（トランスファ）された加工用材料に所定のプレス加工を施すトランスファプレス運転方法およびトランスファプレス機械に関する。
【背景技術】
【０００２】
プレス機械に加工用材料の搬送（トランスファ）装置を組合せたトランスファプレス機械が知られている。プレス機械としては、フライホイール効果を利用する蓄積エネルギー駆動方式とサーボモータ駆動方式とに大別される。また、搬送装置に関しては、機械的同期結合方式（プレス機械に同期運動可能として機械的に連結させた方式）に比較して、構造簡単で多様性、適応性、装置コスト、省スペースおよび調整作業等の点で有利な電気的同期結合方式が採用される場合が多い。
【０００３】
蓄積エネルギー駆動方式のプレス機械１０Ｗは、比較便宜のために簡易表示した図９に示す如く、スライド駆動機構を構成するクランク機構１１（クランク軸１２、コンロッド１４）によりスライド１５（上型）を静止側のボルスタ１８（下型）に対して昇降駆動可能に形成されている（特許文献１を参照）。１３はメインギヤ，２４はギヤ，２３が回転軸で、２０がクラッチ・ブレーキ装置（ブレーキ板２１，クラッチ板２２）である。２５はフライホイールで、駆動ベルト２６，プリー３２Ｈを介して接続されたモータ３０Ｉ（モータ軸３１）により回転駆動される。誘導モータ（３０Ｉ）は、ドライバー３５で起動・停止される。
【０００４】
かかるプレス機械１０Ｗでは、フライホイール２５に蓄積された回転エネルギーを、クラッチ・ブレーキ装置２０（２１，２２）を介してクランク軸１２に選択的に伝達・遮断して、プレス運転・停止をする構造である。フライホイール２５の回転エネルギーは、プレス加工（成形）を実行する加工領域で放出され、回転数が低下する。そして、非加工領域で回転エネルギーが蓄積（回復）され回転数は元に戻る。この繰り返しにより、プレス加工を連続的に行える。
【０００５】
サーボモータ駆動方式のプレス機械１０Ｓは、図９に対応させた図１０に示す如く、クランク機構１１の利点（大荷重値発生，構造簡単，堅牢，低コスト等）を活用しつつ、クランク軸１２をサーボモータ３０Ｓで直接的に回転駆動可能に形成されている（特許文献２を参照）。
【０００６】
すなわち、比較便宜のために簡易表現した図１０において、プレス機械１０Ｓは、クランク機構１１（１２，１３，１４）に駆動ギヤ３２Ｇ（モータ軸３１）を介して連結されたサーボモータ３０Ｓの回転制御により、クランク軸１２を回転制御しつつスライド１５の昇降駆動を行う。
【０００７】
このプレス機械１０Ｓは、蓄積エネルギー駆動方式に比較して、クランク軸１２の可逆回転（正回転と逆回転とを切換え可能）で回転速度変化も選択的に調整することができる。また、プレス加工領域内でのスライド速度の低速化や一定化あるいは一時停止（図１３を参照）が可能である。さらに、クランク軸１２を必ずしも３６０度回転させなくても、プレス運転（図１４を参照）をすることができる。つまり、各種スライドモーションを選択切換え可能で、プレス加工態様に対する適応性が広い。
【０００８】
ここに、いずれのプレス機械（１０Ｗまたは１０Ｓ）においても、組み合わされた電気的同期結合方式の搬送装置（トランスファ装置）は、例えば３次元搬送型の場合、各専用サーボモータをそれぞれに独立回転制御することで、３つの搬送用駆動軸を別々に搬送駆動可能に形成されている。
【０００９】
すなわち、１対のフィードバーは、図１１（Ｂ）に示す如く、Ｘ（アドバンス・リターン動作）方向，Ｙ（クランプ・アンクランプ動作）方向およびＺ（リフト・ダウン動作）方向に往復移動させる。これにより、加工用材料（ワーク）をＸ方向（アドバンス方向…フィード方向）へ順次に搬送（トランスファ）することができる。各フィードバーには、内側に向かうワーク挟持用の複数のフィンガーやバキュームカップが取付けられている。なお、図１１（Ａ）は、２次元搬送型の場合を示す。
【００１０】
各搬送動作の動作開始タイミングおよび動作終了タイミングは、図１２に示す如く、例えば右回転するクランク軸１２の回転角度（クランク角度θ）を基礎として生成出力される。クランク角度設定（追従）方式である。例えば、アドバンス動作領域がクランク角度３００〜０〜６０度で、動作開始タイミングが３００度かつ動作終了タイミングが６０度である。以下同様に、ダウン動作領域が６０〜９０度、アンクランプ動作領域がクランク角度９０〜１２０度、リーン動作領域が１２０〜１８０〜２１０度、クランプ動作領域が２１０〜２７０度、リフト動作領域が２７０〜３００度である。
【００１１】
このクランク角度設定方式としては、例えば特許文献３，特許文献４を挙げることができる。特許文献３はフィーダー各軸制御をクランク角度に非常に良く追従できるようにしているもので、特許文献４は開始・終了タイミング用のクランク軸回転角度値設定手段，モーションカーブの設定演算手段等を設け、金型寸法に対する安全適切性の改善に関するものである。
【特許文献１】特開平１０−２７７７８４号公報
【特許文献２】特開２００３−２０５３９５号公報
【特許文献３】特公平７−７３７５０号公報
【特許文献４】特公平７−７５７４１号公報
【発明の開示】
【発明が解決しようとする課題】
【００１２】
ところで、プレス機械１０Ｗの場合には、クランク軸１２が一方向に回転しかつスライドモーションが決まっているので、搬送モーション（各動作開始タイミングおよび動作終了タイミングを含む。）を一旦設定すれば、後はＳＰＭ（回転速度）に応じた簡単な調整をするだけで、円滑で確実な搬送動作を保障することができる。
【００１３】
しかしながら、サーボモータ駆動方式のプレス機械１０Ｓの場合には、その特性（性能）を十二分に発揮させたプレス運転のために、各種のスライドモーションが選択的に切換えられる。当然に、搬送モーションを一旦設定していたとしても、スライドモーションが選択切換えされる度に、搬送モーションを今回スライドモーションに整合させるように再設定しなければならない。しかも、再設定された搬送モーションと選択切換えされたスライドモーションとの間に不整合性の虞がある場合には、見直し再検討が必要になる。
【００１４】
一般的に、搬送装置側のサイクル速度の方がプレス機械側のサイクル速度に比較して遅いので、搬送装置の性能（移動速度、耐え得る衝撃）内で対応するようにプレス機械１０Ｓ側の特性（性能）を制限する運用がなされる傾向にある。しかも、その都度に両者（スライドモーション⇔搬送モーション）間を反復して見直す（検討）必要がありかつ慎重な選択（設定）作業を強いる。作業者（乃至オペレータ）にとって大変面倒で長時間を要し、取り扱いが難しい。
【００１５】
そのために、運用上の実際においては交互運転方法を採る場合がある。この運転方法は、クランク軸１２を強制的に設定位置（例えば、上死点）で停止させ、この停止中に搬送動作をさせる。この搬送動作終了後にクランク軸を再回転させてスライド昇降制御に戻す。しかし、この方法の常時的採用は、高速性、スライドモーションの選択自在性を誇るサーボモータ駆動方式のプレス機械１０Ｓの普及拡大を阻害することになる。
【００１６】
特に、以下のようなプレス機械１０Ｓに独特なスライドモーションが選択された場合には、搬送装置が追従運転困難あるいは搬送運転不能となる致命的欠陥が内在する。
【００１７】
すなわち、プレス機械１０Ｗのスライドモーションが例えば図１３に点線で示した連続移動軌跡Ｒｃｎｔで表せる場合において、プレス機械１０Ｓの今回運転のために例えば図１に実線で示したスライドモーション（スライド下降中の箇所“Ａ”において一時的な上昇動作が入る。）Ｒｓが選択されると、箇所“Ａ”において搬送装置が一時的に逆動作しかつ再び正動作に戻される事態が生じる。これは、エネルギーの無駄でありかつ時間の浪費で生産性を低下させる。しかも、サーボモータ３０Ｓを含む制御系および搬送装置に過大な衝撃を与える虞があり、これは故障や破損の原因となる。
【００１８】
次に、プレス機械１０Ｓにおいて、図１３に実線で示したスライドモーション（軌跡Ｒｓｔｐ）が選択されたが、搬送動作開始タイミング信号の生成出力についてはプレス機械１０Ｗの場合と同様にクランク角度θ２１を基礎として生成出力するクランク角度設定方式が採用された場合を考える。この場合、クランク軸１２は、クランク角度θ２１の手前であるクランク角度θ２において一時停止（例えば、材料加熱）状態に入る。スライド１５は一定の高さ（位置Ｈ２）に保持される。そして、一定時間（加熱時間）経過後に再びクランク軸１２が回転しスライド１５が下降する。したがって、加熱時間中には、搬送動作開始タイミング信号を生成出力することができない。一定時間経過後にクランク角度θが図示便宜上のクランク角度θ２２（角度θ２１と等しい。）になって、はじめて搬送動作開始タイミング信号を生成出力することができる。
【００１９】
つまり、一時停止期間中は、搬送動作を行えない無駄時間となってしまう。しかも、この一時停止時間（無駄時間）を除く短時間内で当該搬送動作を開始かつ終了させるためには、搬送装置（大イナーシャ）を一段と急速加速・高速移動・急速減速させる必要があるが、運用の実際においては許され難い。すなわち、搬送装置側との関係から、プレス機械１０Ｓの持つ特性（一時停止運転）を実行することができない。
【００２０】
さらに、クランク角度設定方式を採用するプレス機械１０Ｗにおいて、スライドモーションが図１４に点線で示した軌跡Ｒｗ（上記したＲｃｎｔと同じサイン波形状である。）で表せる場合に、クランク角度θ１３を搬送動作開始タイミングとしかつクランク角度θ３４を搬送動作終了タイミングとして設定した搬送動作がなされるケースがよくある。しかし、この場合と同じ設定では、プレス機械１０Ｓの反復（往復）半回転運転を実行させることができない。
【００２１】
すなわち、プレス機械１０Ｓを半回転運転させる場合のスライドモーションは、図１４に実線で示した軌跡Ｒｓとなる。実際スライドストロークは、クランク軸１２を１回転させた場合のスライドストローク（Ｈｓｔ）の１／２（Ｈ／２）である。つまり、クランク軸１２を半回転内で反転（角度θ１→θ４→θ１）させることで、時間短縮（高速化）を図り生産性を向上する場合に選択される。しかし、プレス加工サイクル毎に検出順序［角度θ１３（θ３４）→角度θ３４（θ１３）］が異なるので、クランク角度設定方式を採用したのでは適切な動作開始・終了タイミング信号を生成出力することができない。
【００２２】
このように、途中の正逆回転，一時回転停止および反復半回転を伴うプレス運転が、クランク角度設定方式および搬送装置側の事由により、実現できないとの指摘がある。これら課題は、サーボモータ駆動方式のプレス機械１０Ｓの持つ特性を十二分に発揮させるためには、是非とも解決しなければないない。
【００２３】
本発明の目的は、搬送装置の円滑で確実な搬送動作を保障しつつサーボモータ駆動方式のプレス機械の持つ特性を十二分に発揮させることができるトランスファプレス運転方法とトランスファプレス機械とを提供することにある
【課題を解決するための手段】
【００２４】
従来、電気的同期結合方式の搬送装置では、一方向に一定速度で回転されるクランク軸によりスライド昇降されるプレス機械１０Ｗであることを前提としかつスライドモーションが一定である場合に好都合なクランク角度設定方式の採用を当然視していた。具体的には、クランク角度を基礎としかつ１または２の特定されたクランク角度（動作開始角度または/および動作終了角度）を検出して、各搬送動作領域をカバーしている。つまり、各搬送動作の開始・終了タイミングをスライドモーション上で１または２つの“点”として捉えていた。かくして、見掛け上、逆動作となってしまうタイミング信号や複数の同一タイミング信号が生成出力されてしまう現象、スライドモーションが進行中であるにも拘わらずタイミング信号が生成出力されない現象等が生じていたものと判断した。このようにスライドモーションの選択自在性を特徴とするサーボモータ駆動方式のプレス機械１０Ｓに電気的同期結合方式の搬送装置とクランク角度設定方式によるタイミング生成出力手段とを導入することは論理的にも矛盾があり、不整合性も残る。
【００２５】
ここに、本発明は、プレス機械１０Ｓのスライドモーション選択自在性に鑑み、選択スライドモーションの種別（軌跡）に拘わらずに搬送装置側を追従可能とする新規の考え方に係る。つまり、搬送動作の開始・終了タイミングを“点”として考えるクランク軸設定方式でなく、“線”として取り扱い可能な工程番号の進行を基礎とした同期動作化という考え方である。
【００２６】
具体的には、本発明は、工程番号（“線”）を共通とする理想的なスライド位置情報と搬送位置情報とを工程番号ごとに関連づけた指定情報として記憶させておき、１回のプレス加工サイクル内において工程番号を一定速度で工程番号順に進行（連続移動）させことで、スライド位置を指定スライド位置（指定現在情報）に整合可能であるとともに搬送位置を指定搬送位置（指定現在情報）に整合可能に形成されている。工程番号が進行している限りにおいて、選択スライドモーションの如何に拘わらず搬送動作を継続させられる。
【００２７】
詳しくは、請求項１の発明に係るトランスファプレス運転方法は、スライド制御装置によってスライド昇降用モータを駆動しつつスライドを入力された目標スライド位置信号に対応する位置に昇降制御するとともに搬送制御装置によって搬送用モータを駆動しつつ搬送用部材を入力された目標搬送位置信号に対応する位置に搬送制御し、搬送された加工用材料に所定のプレス加工を施すトランスファプレス運転方法であって、横軸が工程番号で縦軸が指定スライド位置である指定スライド軌跡情報および指定搬送位置である指定搬送軌跡情報を記憶しておき、工程進行開始命令に基づき工程番号を最初の工程番号から最後の工程番号に向かう一方向に一定の速度で進行させ、指定スライド軌跡情報を参照して、進行中に読み取った現在工程番号に対応する現在指定スライド位置を抽出しかつ目標スライド位置信号を抽出された現在指定スライド位置に相当する信号に切換えるとともに、指定搬送軌跡情報を参照して、読み取った現在工程番号に対応する現在指定搬送位置を抽出しかつ目標搬送位置信号を抽出された現在指定搬送位置に相当する信号に切換え、最後の工程番号に到達した以降に再び発せられる工程進行開始命令に基づき工程番号を最初の工程番号から最後の工程番号に向かう一方向に一定の速度で再び進行させかつ現在工程番号の読み取りから目標スライド位置信号および目標搬送位置信号の切換えまでを繰り返して実行させる、ことを特徴とする。
【００２８】
また、請求項２の発明に係るトランスファプレス機械は、スライド制御装置によってスライド昇降用モータを駆動制御しつつスライドを入力された目標スライド位置信号に対応する位置に昇降制御可能かつ搬送制御装置によって搬送用モータを駆動制御しつつ搬送用部材を入力された目標搬送位置信号に対応する位置に搬送制御可能であるとともに搬送された加工用材料に所定のプレス加工を実施可能に形成されたトランスファプレス機械において、横軸が工程番号で縦軸が指定スライド位置である指定スライド軌跡情報および指定搬送位置である指定搬送軌跡情報を記憶可能な指定情報記憶手段と、工程進行開始命令に基づき最初の工程番号から最後の工程番号までの工程を一定の速度で進行させる工程進行制御手段と、記憶された指定スライド軌跡情報を参照して進行中に読み取った現在工程番号に対応する現在指定スライド位置を抽出する現在指定スライド位置抽出手段と、スライド制御装置に入力する目標スライド位置信号を抽出された現在指定スライド位置に相当する信号に切換えるスライド用入力信号切換制御手段と、記憶された指定搬送軌跡情報を参照して進行中に読み取った現在工程番号に対応する現在指定搬送位置を抽出する現在指定搬送位置抽出手段と、搬送制御装置に入力する目標搬送位置信号を抽出された現在指定搬送位置に相当する信号に切換える搬送用入力信号切換制御手段とを設け、工程進行制御手段，現在指定スライド位置抽出手段，スライド入力信号切換制御手段，現在指定搬送位置抽出手段および搬送用入力信号切換制御手段を、工程進行開始命令が発せられる度に繰り返して実行可能に形成されている。
【００２９】
また、請求項３の発明に係るトランスファプレス機械は、スライド昇降用モータの回転運動をクランク機構を介してスライドの上下運動に変換可能に形成しかつ一方反転位置検出手段と他方反転位置検出手段とを設け、工程進行制御手段が各反転位置が検出されたことを条件に工程進行開始命令を自動的に出力可能に形成されている。
【００３０】
また、請求項４の発明に係るトランスファプレス機械は、単独駆動切換制御手段を設け、単独駆動対象選択手段を用いてスライド制御が選択された場合に現在指定スライド位置抽出手段およびスライド用入力信号切換制御手段を単独駆動可能に切換え、搬送制御が選択された場合には現在指定搬送位置抽出手段および搬送用入力信号切換制御手段を単独駆動可能に切換える、ことを特徴とする。
【発明の効果】
【００３１】
請求項１の発明に係るトランスファプレス運転方法によれば、円滑で確実な搬送動作を保障しつつサーボモータ駆動方式プレス機械の持つ特性を十二分に発揮させられる。
【００３２】
また、請求項２の発明に係るトランスファプレス機械によれば、請求項１の発明の場合と同様に搬送装置の円滑で確実な搬送動作を保障しつつサーボモータ駆動方式のプレス機械の持つ特性を十二分に発揮させることができるとともに、具現化が容易でかつ取り扱いが簡単である。
【００３３】
また、請求項３の発明に係るトランスファプレス機械によれば、工程進行開始命令を自動的に出力できるので、請求項２の発明の場合と同様な効果を奏することができることに加え、さらに取り扱いが一段と簡単である。
【００３４】
また、請求項４の発明に係るトランスファプレス機械によれば、単独駆動可能に形成されているので、請求項２および請求項３の発明の場合と同様な効果を奏することができることに加え、さらにプレス機械側の金型交換時のダイハイト調整・確認や搬送装置側の加工用材料変更時のクランプ状態等の調整・確認を迅速かつ容易に行え、エネルギーの節約にも有効である。
【発明を実施するための最良の形態】
【００３５】
以下、本発明の実施形態について図面を参照して説明する。
【００３６】
（第１の実施の形態）
本トランスファプレス機械（１０Ｓ，４０）は、本トランスファプレス運転方法を実施するために好適なもので、図１〜図３に示す如く、指定情報記憶手段６４Ｍと工程進行制御手段（６１，６２）と現在指定スライド位置抽出手段（６１，６２）とスライド用入力信号切換制御手段（６１，６２）と現在指定搬送位置抽出手段（６１，６２）と搬送用入力信号切換制御手段（６１，６２）とを設け、スライド昇降制御と搬送動作制御とを共通である工程番号Ｎの進行に同期させて実行可能に形成されている。
【００３７】
すなわち、トランスファプレス機械（１０Ｓ，４０）は、工程進行開始命令Ｓｓｔに基づき工程番号Ｎｉを最初の工程番号Ｎ１から最後の工程番号Ｎｎに向かう一方向に一定の速度で進行可能で、指定スライド軌跡情報ＳＬＤを参照して進行中に読み取った現在工程番号Ｎｐｒに対応する現在指定スライド位置Ｈｐｒを抽出可能かつスライド制御装置３７に入力する目標スライド位置信号Ｓｈを抽出された現在指定スライド位置相当信号に切換可能で、指定搬送軌跡情報ＴＲＤを参照して進行中に読み取った現在工程番号Ｎｐｒに対応する現在指定搬送位置（Ｘｐｒ，Ｙｐｒ，Ｚｐｒ）を抽出可能かつ搬送制御装置４５ＡＲ，４５ＣＵ，４５ＬＤに入力する目標搬送位置信号Ｓａｒ，Ｓｃｕ，Ｓｌｄを抽出された現在指定搬送位置相当信号に切換可能で、最後の工程番号Ｎｎに到達した以降に再び発せられる工程進行開始命令Ｓｓｔに基づき工程番号を最初の工程番号から最後の工程番号に向かう一方向に一定の速度で再び進行させかつ現在工程番号の読み取りから目標スライド位置信号および目標搬送位置信号の切換えまでを繰り返して実行可能に形成されている。
【００３８】
まず、プレス機械１０Ｓの基本的構成・機能は、模式的に記載した図１および主に運転制御装置６０を中心に記載した図２（ブロック図）に示す如く、スライド制御装置３７によってスライド昇降用モータ（サーボモータ３０Ｓ）を駆動制御しつつスライド１５を入力された目標スライド位置信号Ｓｈに対応する位置に昇降制御可能かつ搬送制御装置（４５）によって搬送用モータ（サーボモータ４６）を駆動制御しつつ搬送装置４０の一部を構成する搬送用部材（フィードバー４１）を入力された目標搬送位置信号に対応する位置に搬送制御可能で、搬送された加工用材料に所定のプレス加工を実施可能に形成されている。
【００３９】
プレス機械１０Ｓの機械的な構造を、主に図１（および図１０）を参照して説明する。本体（クラウン，コラム，フレーム，ベッド等を含む。）１１に、スライド１５が上下方向に往復移動可能に装着されている。スライド１５の昇降用動力は、クランク機構（クランク軸１２，コンロッド１４）およびギヤ列（１３，３２Ｇ）を介してサーボモータ３０Ｓから供給される。すなわち、スライド昇降用モータ３０Ｓの回転運動をクランク機構を介してスライド１５の上下（昇降…直線）運動に変換可能に形成してある。
【００４０】
サーボモータ３０Ｓは、スライド制御装置３７によって回転制御される交流サーボモータから形成されている。このスライド制御装置３７は、図１に示す位置・速度制御部等を形成するコントローラ（ＣＮＴＲ）３７Ｃと電流制御部を形成するサーボアンプ３７Ａとを含み、コントローラ３７Ｃには目標スライド位置信号Ｓｈが入力されかつエンコーダ３０Ｅで検出されたモータ回転角度相当信号θｍに対応する速度・位置信号がフィードバックされる。この発明では、コントローラ３７Ｃには、工程進行中、詳細後記の抽出現在スライド位置Ｈｐｒに相当する電気信号が、目標スライド位置信号Ｓｈに代えて入力される。
【００４１】
サーボアンプ３７Ａには、コントローラ３７Ｃから速度信号が入力され、モータ回転角度相当信号θｍの変化に対応する速度信号がフィードバックされ、モータ駆動用の電流信号（トルク相当信号）Ｓｉを出力する。かくして、サーボモータ３０Ｓの回転制御（トルク制御）により、スライド１５の上下方向位置を目標スライド位置信号Ｈｐｒ（Ｓｈ）に対応する位置に正確に位置決め制御することができる。
【００４２】
なお、クランク機構（クランク軸１２）に取付けられたエンコーダ１２Ｅは、クランク軸１２の回転角度相当信号θｋを出力する。この信号θｋを換算することで、スライド１５の上下方向位置Ｈを知ることができ、この実施の形態ではスライド位置Ｈｉを表示部６６に表示する。
【００４３】
搬送装置４０は、３次元方向搬送（搬送）型の構造で、１対のフィードバー４１（図１では、片方を図示省略している。）を含む搬送機構と、直交３軸のそれぞれに対応する３種類のサーボモータ４６（アドバンス・リターン用４６ＡＲ，クランプ・アンクランプ用４６ＣＵ，リフト・ダウン用４６ＬＤ）と、対応する搬送制御装置４５ＡＲ，４５ＣＵ，４５ＬＤとから形成され、サーボモータ４６ＡＲ，４６ＣＵ，４６ＬＤの回転制御により搬送動作可能に形成されている。
【００４４】
各搬送制御装置４５ＡＲ，４５ＣＵ，４５ＬＤは、スライド制御装置３７（３７Ｃ，３７Ａ）の場合と同様に図１に示すコントローラ（ＣＮＴＲ）４５Ｃとサーボアンプ４５Ａとから形成され、フィードバック信号（モータ回転角度相当信号θｍａｒ，θｍｃｕ，θｍｌｄ）は各エンコーダ４７ＡＲ，４７ＣＵ，４７ＬＤから得る。Ｓｉａｒ，Ｓｉｃｕ，Ｓｉｌｄは、モータ駆動用の電流（トルク相当）信号である。
【００４５】
なお、加工用材料を３次元方向へ搬送可能な３次元方向搬送型として説明するが、２次元方向搬送型［図１１（Ａ）を参照。］とした場合でも本発明は実施することができる。
【００４６】
図２において、運転制御装置を構成するコンピュータ６０は、ＣＰＵ（時計機能を含む）６１，ＲＯＭ６２，ＲＡＭ６３，メモリ（強誘電体メモリ）６４，操作部（ＰＮＬ）６５，表示部（ＩＮＤ）６６および複数のインターフェイス（Ｉ／Ｆ）６７Ａ・６７Ｂ・６７Ｃ、６９を含み、設定・選択・指令・制御等の機能を有しトランスファプレス機械（１０Ｓ、４０）全体を運転制御する。
【００４７】
インターフェイス６７Ａはスライド制御装置３７（３７Ｃ）へ目標スライド位置信号Ｓｈ（または、Ｈｐｒ）を出力し、インターフェイス６７Ｂは機械式ブレーキ２９へブレーキＳｂを出力し、インターフェイス６７Ｃにはエンコーダ１２Ｅからクランク角度相当信号θｋが入力される。
【００４８】
また、インターフェイス６９は、アドバンス・リターン動作用の搬送制御装置４５ＡＲ（コントローラ４５Ｃ，サーボアンプ４５Ａ）へアドバンス・リターン動作指令信号Ｓａｒ（アドバンス用がＳａ，リターン用がＳｒ）を出力し、クランプ・アンクランプ動作用の搬送制御装置４５ＣＵ（４５Ｃ，４５Ａ）へクランプ・アンクランプ動作指令信号Ｓｃｕ（クランプ用がＳｃ，アンクランプ用がＳｕ）を出力する。また、リフト・ダウン動作用の搬送制御装置４５ＬＤ（４５Ｃ，４５Ａ）へリフト・ダウン動作指令信号Ｓｌｄ（リフト用がＳｌ，ダウン用がＳｄ）を出力する。
【００４９】
各動作用信号Ｓａｒ（Ｓａ，Ｓｒ），Ｓｃｕ（Ｓｃ，Ｓｕ），Ｓｌｄ（Ｓｌ，Ｓｄ）には、当該各サーボモータ４６ＡＲ，４６ＣＵ，４６ＬＤの回転態様指定情報（加速度，最高速度，減速度、移動量等）も含まれる。つまり、サーボモータ４６の回転数を徐々に上昇（加速）してスムース起動、最高速度での高速移動、回転数を徐々に下降（減速）してスムース停止を図る台形軌跡に従って所定量（距離）だけ１対のフィードバー４１Ｌを各動作方向に移動させることができる。
【００５０】
この第１の実施形態では、工程進行制御手段（６１，６２），現在指定スライド位置抽出手段（６１，６２），スライド用入力信号切換制御手段（６１，６２），現在指定搬送位置抽出手段（６１，６２），搬送用入力信号切換制御手段（６１，６２）および繰り返し実行制御手段（６１，６２）の如く、項目の後ろに（６１，６２）と附記された手段は、それぞれに、当該制御プログラムを格納させたＲＯＭ６２とプログラムの実行機能を有するＣＰＵ６１から形成されているものとする。つまり、構成要素を主にソフトウエア的に構築してある。
【００５１】
第２（および第３）の実施の形態における一方反転位置検出手段（６１，６２）および他方反転位置検出手段（６１，６２）の場合も同様である。第４の実施の形態における単独駆動切換制御手段（６１，６２）の場合も同様である。
【００５２】
なお、工程進行制御手段等の当該各制御プログラムは記憶保持可能なメモリ６４に格納しておく形式でも、ハードディスク装置（図示省略）に格納しておく形式でも、データ通信回線を通じて外部からダウンロードして運用する形式としても実施することができる。
【００５３】
さて、指定情報記憶手段６４Ｍは、図１に示すようにテーブル形式（説明便宜的に２つのエリア６４ＭＰ，６４ＭＴに分けて表示した。）とされ、横軸が工程番号Ｎで縦軸が指定スライド位置Ｈである指定スライド軌跡情報ＳＬＤおよび横軸が工程番号Ｎで縦軸が指定搬送位置Ｘ，Ｙ，Ｚである指定搬送軌跡情報ＴＲＤを記憶することができる。指定スライド軌跡情報ＳＬＤと指定搬送軌跡情報ＴＲＤとを工程番号Ｎｉを共通としたものが、指定情報である。
【００５４】
指定情報記憶手段６４Ｍには、複数種類の指定情報を記憶することができ、情報選択手段（６５）を用いて今回使用の１つの指定情報（ＳＬＤ，ＴＲＤ）を選択することができる。また、指定情報の設定（作成）は、表示部６６に表示された情報入力画面を参照しかつ情報設定手段（操作部６５）を用いてキー入力することにより行われる。
【００５５】
なお、指定情報（ＳＬＤおよびＴＲＤ）は、他の場所で作成しかつメディアを介しあるいはオンラインで、運転制御装置（６０）にインストールするように形成してもよい。
【００５６】
ここに、工程番号Ｎｉは、指定スライド位置Ｈｉおよび指定搬送位置Ｘｉ，Ｙｉ，Ｚｉの組合せを特定するものとして定義されるもので、従来例においてスライドモーション（カーブ）を定義する際の横軸となる“点”としてのクランク角度θとは異なる新たな概念（“線”）である。
【００５７】
すなわち、あるプレス加工（プレス運転）サイクルを実施すために必要とするスライド位置Ｈｉの一連の変化を１つのスライド軌跡（例えば、図１の“Ｒｓ”）として捉えかつ１サイクル分のスライド軌跡Ｒｓを複数プレス工程に分割（番号付け）する工程番号Ｎｉなる概念を導入すれば、各プレス工程番号Ｎｉに対応する当該各スライド位置Ｈｉを指定することで、指定スライド軌跡情報ＳＬＤを作成することができる。
【００５８】
同様に、あるプレス加工（プレス運転）サイクルを実施する際の各搬送位置Ｘｉ，Ｙｉ，Ｚｉの一連の変化を各１の搬送軌跡（例えば、図１の“Ｒａｒ１，Ｒｃｕ１，Ｒｌｄ１”）として捉えかつ上記スライド軌跡の場合と同じ工程番号Ｎｉを導入して１サイクル分内の搬送軌跡を分割（番号付け）するとともに各工程番号Ｎｉに対応する当該各搬送位置Ｘｉ，Ｙｉ，Ｚｉを指定することで、指定搬送軌跡情報ＴＲＤを作成することができる。
【００５９】
なお、指定スライド軌跡情報ＳＬＤおよび指定搬送軌跡情報ＴＲＤは、横軸が従来例のようにクランク角度θとして決められていないので、モーション（カーブ）の形態をとる必要はない。情報（データ）の記憶形態も限定されない。
【００６０】
ただし、スライド位置Ｈｉ，搬送位置Ｘｉ，Ｙｉ，Ｚｉの設定入力の際に、入力されたスライド位置，搬送位置の信憑性を再確認するために表示部６６に表示させる便宜上、仮定した横軸（例えば、時間）に対応させたモーション（カーブ）に編集して表示可能に形成してもよい。
【００６１】
さて、工程進行制御手段（６１，６２）は、自動あるいは手動で発せられる工程進行開始命令（Ｓｓｔ…図３を参照）に基づき、選択された指定情報（指定スライド軌跡情報ＳＬＤ，指定搬送軌跡情報ＴＲＤ）に関して、最初の工程番号Ｎ０から最後の工程番号Ｎｎまでの全工程（１プレス加工サイクル分）を一定の速度で進行（図３のＳＴ１２）させる手段である。ｎの値は、任意の数として選択できるが、この第１の実施の形態ではｎ＝２１３（＝８１９２）として説明する。つまり、制御特性やプレス加工態様および搬送動作態様等に照らしてｎの値を設定変更することができる。
【００６２】
“工程進行”とは、図１において、横軸（工程番号Ｎ）を選択設定された一定の速度で左→右方向に進行（移動）させることである。例えば、一定時間ごとに工程番号Ｎｉをカウントアップ（歩進）する。つまり、一定速度で工程番号を工程番号の順番で１ずつ進行させることで、指定スライド軌跡情報ＳＬＤおよび指定搬送軌跡情報ＴＲＤを構成する横軸を、定性的なものから時間という定量的なものにすることができる。
【００６３】
したがって、プレス運転（工程進行）中では、指定スライド軌跡情報ＳＬＤを、図１に示す横軸がカッコ書きした時間でかつ縦軸がスライド位置Ｈｉであるスライドモーション（カーブＲｓ）として把握することができるわけである。同様に、指定搬送軌跡情報ＴＲＤの場合も、図１に示す横軸がカッコ書きした時間でかつ縦軸が搬送位置Ｘｉ，Ｙｉ，Ｚｉである搬送モーション（カーブＲａｒ１，Ｒｃｕ１，Ｒｌｄ１）として把握することができるわけである。なお、スライドモーション（カーブＲｓ）等は、表示部６６に表示することができる。
【００６４】
サイクル突入直前に工程進行開始命令Ｓｓｔが発せられた場合（図３のＳＴ１０でＹＥＳ）において、選択情報読取手段（６１，６２）が、操作部６５を用いて選択された指定スライド軌跡情報ＳＬＤ，指定搬送情報ＴＲＤおよび選択設定された進行速度Ｓｓｐを読込む（ＳＴ１１）。
【００６５】
すると、工程進行制御手段（６１，６２）が、スライドモーション（カーブＲｓ）および搬送モーション（カーブＲａｒ１，Ｒｃｕ１，Ｒｌｄ１）を作成しかつ工程番号（選択進行速度に対応する各管理時間目盛相当）Ｎｉにより当該各モーション（カーブＲｓ、Ｒａｃ１，Ｒｃｕ１，Ｒｌｄ１）を具体的に進行（移動）促進させる（ＳＴ１２）。この意味において、工程進行制御手段は、スライド・搬送モーション作成・進行促進制御手段として称呼することができる。
【００６６】
工程番号Ｎｉの進行（移動）速度は一定とされるが、その絶対値はプレス加工態様（および／または搬送態様）に応じて設定変更することができる。つまり、絶対値（進行速度）は一定でなくてもよい。かかる技術事項は、サーボモータ駆動方式のプレス機械１０Ｓであることを前提として、はじめて導入可能なものである。すなわち、目標スライド位置信号Ｈｐｒ（Ｓｈ）に対する実際のスライド位置Ｈｉの追従速度が高いので、工程番号（時間目盛）を指定すれば、スライド位置Ｈｉを必ず目標スライド位置に正確に位置決め制御することができるからである。搬送装置４０の場合も同様である。
【００６７】
換言すれば、モータ（３０Ｉ）が一定速度で一方向に回転し、スライド位置が偏心回転するクランク軸１０のクランク角度θで一義的に決まってしまうフライホイール（２５）を有するプレス機械１０Ｗでは、導入不可能なものである。
【００６８】
現在工程番号読取手段（６１，６２）は、進行中に当該時の工程番号Ｎｉを読み取る（ＳＴ１３）。引き続き、現在指定スライド位置抽出手段（６１，６２）および現在指定搬送位置抽出手段（６１，６２）が働く（ＳＴ１４，ＳＴ１５）。
【００６９】
現在指定スライド位置抽出手段（６１，６２）は、指定情報記憶手段６４Ｍに記憶された指定スライド軌跡情報ＳＬＤの中から選択された１つの指定スライド軌跡情報を参照して、現在工程番号Ｎｐｒに対応する現在指定スライド位置Ｈｐｒを抽出する（ＳＴ１４）。現在工程番号Ｎｐｒは、抽出しようとする時点（当該時刻）つまり現在時刻Ｔｐｒにおける工程番号である。
【００７０】
このようにして抽出された現在指定スライド位置Ｈｐｒは、信号変換手段（６１，６２）により目標スライド位置信号Ｓｈに相当する形態の電気信号に変換されかつスライド用入力信号切換制御手段（６１，６２）の働きにより、目標スライド位置信号Ｓｈに代えてスライド制御装置３７（３７Ｃ）に入力される（ＳＴ１６）。
【００７１】
つまり、工程番号Ｎ（ｉ−１）が次の工程番号Ｎｉに進行する度に、目標スライド位置信号Ｓｈを抽出された現在指定スライド位置Ｈｉ（Ｈｐｒ）に相当する信号に切換えて入力しつつ、スライド１５の位置制御を実行する。この点からすれば、スライドモーション（カーブＲｓ）の変化が少ないほど設定する工程番号Ｎの数を少なく、変化が大きいほど設定するプレス工程番号Ｎの数を多くすることが、制御上好ましいと理解される。
【００７２】
現在指定搬送位置抽出手段（６１，６２）は、指定情報記憶手段６４Ｍに記憶された指定搬送軌跡情報ＴＲＤの中から選択された１つの指定搬送軌跡情報を参照して、現在工程番号Ｎｐｒに対応する現在指定搬送位置Ｘｐｒ，Ｙｐｒ，Ｚｐｒを抽出する（ＳＴ１５）。
【００７３】
このようにして抽出された現在指定搬送位置Ｘｐｒ，Ｙｐｒ，Ｚｐｒは、信号変換手段（６１，６２）により目標スライド位置信号Ｓａｒ，Ｓｃｕ，Ｓｌｄに相当する形態の電気信号に変換されかつ搬送用入力信号切換制御手段（６１，６２）の働きにより、目標スライド位置信号Ｓａｒ，Ｓｃｕ，Ｓｌｄに代えて搬送制御装置４５ＡＲ，４５ＣＵ、４５ＬＤにそれぞれ入力される（ＳＴ１７）。
【００７４】
つまり、工程番号Ｎ（ｉ−１）が次の工程番号Ｎｉに進行する度に、目標搬送位置信号Ｓａｒ，Ｓｃｕ，Ｓｌｄを抽出された現在指定搬送位置Ｘｐｒ，Ｙｐｒ，Ｚｐｒに相当する信号に切換えて入力しつつ、フィードバー４１の３位置搬送制御を実行する。
【００７５】
以上の一連的な動作は、工程番号用カウント機能により管理（ＳＴ１８）され、工程番号Ｎｉ毎に実行される（ＳＴ１８でＹＥＳ，ＳＴ１２〜）。最後の工程番号Ｎｎ（＝Ｎ２１３）の実行後に動作終了（ＳＴ１８でＹＥＳ）となり、再度の命令がある（ＳＴ１０でＹＥＳ）までスタンバイ状態になる（ＳＴ１９でＮＯ，ＳＴ１０でＮＯ，ＳＴ１９でＮＯ，…）。
【００７６】
繰り返し実行制御手段（ＣＰＵ６１，ＲＯＭ６２）は、再度の工程進行開始命令Ｓｓｔが発せられる度（ＳＴ１０でＹＥＳ）に、工程進行制御手段，現在指定スライド位置抽出手段，スライド用入力信号切換制御手段，現在指定搬送位置抽出手段および搬送用入力信号切換制御手段を、繰り返して実行（ＳＴ１１〜ＳＴ１８）させる。なお、運転停止指令（ＳＴ１９でＹＥＳ）があれば、運転停止する。
【００７７】
かかる構成の第１の実施の形態では、次のようにトランスファプレス運転方法を実施することができる。
【００７８】
工程進行開始命令（図３のＳＴ１０でＹＥＳ）に基づき、指定情報記憶手段６４Ｍに記憶されかつトランスファプレス運転に先立って選択された指定スライド軌跡情報ＳＬＤ，指定搬送軌跡情報ＴＲＤおよび速度Ｓｓｐが読み取られる（ＳＴ１１）。
【００７９】
すると、工程進行制御手段（６１，６２）が、工程番号Ｎｉを最初のプレス工程番号Ｎ０から最後のプレス工程番号Ｎｎ（＝Ｎ２１３）に向かう一方向に一定の速度で進行させる（ＳＴ１２）。この工程進行中に、現在工程番号Ｎｉ（Ｎｐｒ）が読み取られる（ＳＴ１３）。
【００８０】
引き続き、現在指定スライド位置抽出手段（６１，６２）が、図１の指定スライド軌跡情報ＳＬＤを参照して、読み取られた現在プレス工程番号Ｎｉ（Ｎｐｒ）に対応する現在指定スライド位置Ｈｉ（Ｈｐｒ）を抽出する（ＳＴ１４）。この現在指定スライド位置Ｈｉ（Ｈｐｒ）に相当する電気信号が生成される。
【００８１】
これと同時的に、現在指定搬送位置抽出手段（６１，６２）が、図１の指定搬送軌跡情報ＴＲＤを参照して、読み取られた現在工程番号Ｎｉ（Ｎｐｒ）に対応する現在指定搬送位置Ｘｐｒ，Ｙｐｒ，Ｚｐｒを抽出する（ＳＴ１５）。各現在指定スライド位置Ｘｐｒ，Ｙｐｒ，Ｚｐｒに相当する各電気信号が生成される。
【００８２】
すると、スライド用入力信号切換制御手段（６１，６２）は、現在指定スライド位置（Ｈｐｒ）相当信号を目標スライド位置信号Ｓｈに代えてスライド制御装置３７に切換え入力する（ＳＴ１６）。スライド制御装置３７（３７Ｃ，３７Ａ）は、現在指定スライド位置相当信号に基づき、サーボモータ３０Ｓを回転制御する。
【００８３】
この回転制御中のスライド位置Ｈｉは、工程番号Ｎの連続的な進行に伴い、指定スライド位置を中心に微小位置だけ上になったり下になったりする。結果的には、スライド位置Ｈは、指定スライド軌跡情報ＳＬＤで規定された工程番号Ｎｉごとの所定位置Ｈｉに迅速かつ正確に位置決めされることになる。
【００８４】
同時的に、搬送用入力信号切換制御手段（６１，６２）は、現在指定搬送位置（Ｘｐｒ，Ｙｐｒ，Ｚｐｒ）相当信号を目標搬送位置信号Ｓａｒ，Ｓｃｕ，Ｓｌｄに代えて搬送制御装置４５ＡＲ，４５ＣＵ，４５ＬＤに切換え入力する（ＳＴ１７）。各搬送制御装置４５（４５Ｃ，４５Ａ）は、現在指定搬送位置相当信号に基づき、サーボモータ４６ＡＲ，４６ＣＵ，４６ＬＤを回転制御する。
【００８５】
この回転制御中の各搬送位置Ｘｉ，Ｙｉ，Ｚｉは、工程番号Ｎの連続的な進行に伴い、各指定搬送位置を中心に微小位置だけ上になったり下になったりする。結果的には、各搬送位置は、指定搬送軌跡情報ＴＲＤで規定された工程番号Ｎｉごとの所定位置Ｘｉ，Ｙｉ，Ｚｉに迅速かつ正確に位置決めされることになる。
【００８６】
すなわち、指定スライド軌跡情報ＳＬＤ（Ｒｓ）には、スライド下降中の箇所“Ａ”部における一時的な上昇工程が含まれる。したがって、常に図４に点線で示したサイン波形状のスライドモーション（カーブＲｃｎｔ）となるプレス機械１０Ｗでは、当該スライドモーション（カーブＲｓ）を採用することは不可能である。
【００８７】
また、指定搬送軌跡情報ＴＲＤは、指定スライド軌跡情報ＳＬＤの場合と同様に工程番号Ｎの一方向（増大方向）への進行を“線”としてかつこの“線”に対応させた軌跡Ｒａｒ１，Ｒｃｕ１，Ｒｌｄ１に従って搬送動作がなされるので、搬送動作に関する従来問題点（一時逆搬送動作が成される。）を一掃することができる。
【００８８】
工程番号Ｎが一方向に一定速度で進行するので、スライド位置が同一である複数個所があったとしても１つのプレス加工サイクル中では各工程番号（Ｎｐｒ）を１度しか通過することができないから、各工程番号Ｎｐｒの対応する当該各搬送動作以外の動作がなされることは絶対にない。つまり、選択されたスライドモーション（カーブＲｓ）に従うプレス加工に最適な搬送（トランスファ）モーション（カーブＲａｒ１，Ｒｃｕ１，Ｒｌｄ１）で加工材料を確実に搬送することができる。
【００８９】
そして、１つのプレス加工サイクルが終了した後、つまり最後のプレス工程番号Ｎｎに到達した以降に、自動的（あるいは手動的）にプレス工程進行開始命令Ｓｓｔが再び発せられると、繰り返し実行制御手段（６１，６２）が、各手段をプログラム手順に従って起動させながら、プレス工程番号Ｎｉを最初のプレス工程番号Ｎ０から最後のプレス工程番号Ｎｎ（＝Ｎ２１３）に向かう一方向に一定の速度で再び進行させかつ現在工程番号Ｎｐｒ（Ｎｐｒ）の読み取り（ＳＴ１３）から各信号切換え（ＳＴ１７）までを、繰り返して実行させる（ＳＴ１８でＮＯ，ＳＴ１９でＮＯ，ＳＴ１０でＹＥＳ）。
【００９０】
しかして、この第１の実施の形態によれば、電気的同期結合方式の搬送装置４０（４１）の円滑で確実な搬送動作を保障しつつ、サーボモータ駆動方式プレス機械１０Ｓの持つ特性（正転、逆転、速度変化、回転停止が自由で、スライド速度の低速化や一定化あるいは下死点停留動作等が可能である。）を十二分に発揮させられる。例えば、打ち抜き、曲げおよび絞り等のプレス加工を省スペースのもとに高能率で生産することができる。
【００９１】
また、プレス機械１０Ｓと搬送装置４０との良好な動作整合性と搬送装置４０の理想的な運用（効率的で円滑な稼働）とを担保することができる。すなわち、加工材料を前工程側に逆搬送する不具合の発生を回避でき、フィードバー４１の不必要な急加減速や反転動作を行うことによる無駄な駆動エネルギーの消費や機械的寿命の低下を招くことがない。
【００９２】
また、具現化が容易で、構造簡単かつ取り扱いが容易である。すなわち、サーボモータ駆動方式のプレス機械１０Ｓを採用したトランスファプレス機械（１０Ｓ，４０）の普及拡大に大きく貢献することができる。
【００９３】
製造現場での勘や経験則のみに頼る不確実で、プレス運転態様の変更毎のスライドモーションと搬送モーションとの反復検討を必要とせず、オペレータに非常に面倒で慎重な選択・設定作業を強いることがない。
【実施例１】
【００９４】
図１に示す途中（“Ａ”）に一時上昇期間を含むスライドモーション（Ｒｓ）である指定スライド軌跡情報ＳＬＤと、これに対応する搬送モーション（Ｒａｒ１，Ｒｃｕ１，Ｒｌｄ１）である指定搬送軌跡情報ＴＲＤが選択された場合である。
【００９５】
スライド１５は工程番号Ｎｉに対応する位置Ｈｉに連続的に位置決めされる。工程番号Ｎｉが多いので、切換入力信号に相当する現在指定スライド位置Ｈｉと昇降駆動制御の結果である実際のスライド位置（現在指定スライド位置）との間に時間遅れが生じることはない。つまり、スライド１５は、スライドモーション（カーブＲｓ）の通りに昇降制御される。
【００９６】
工程番号Ｎが選択された一定の速度（Ｓｓｐ）で一方向（図１で左→右）に進行すると、どの工程番号Ｎｉにおいても実際のスライド位置が指定スライド軌跡情報ＳＬＤ（カーブＲｓ）上で規定されたスライド位置Ｈｉと等しくなっている。
【００９７】
同様に、フィードバー４１は工程番号Ｎｉに対応する位置Ｘｉ，Ｙｉ，Ｚｉに連続的に位置決めされるので、フィードバー４１は搬送モーション（カーブＲａｒ１，Ｒｃｕ１，Ｒｌｄ１）の通りに搬送制御される。工程番号Ｎｉが多いので、切換入力信号に相当する現在指定搬送位置Ｘｉ，Ｙｉ，Ｚｉと搬送駆動制御の結果である実際の搬送位置（現在指定搬送位置）との間に時間遅れが生じることはない。
【００９８】
かくして、下死点に向けて下降中のスライド１５の位置Ｈｉが一時的に上昇する箇所（“Ａ”）を有するスライドモーション（カーブＲｓ）が選択された場合でも、搬送装置４０（４１）を搬送軌跡情報ＴＲＤに基づくカーブ（Ｒａｒ１，Ｒｃｕ１，Ｒｌｄ１）の通りに搬送動作することができるわけである。一時逆転がなく、一時中断もない。因みに、従来クランク角度設定方式の場合は、箇所（“Ａ”）において逆方向への搬送動作を招く。
【００９９】
したがって、搬送装置４０が一時的に逆動作しかつ再び正動作に戻される事態が生じることを完全回避できる。つまり、エネルギーおよび時間の無駄を一掃化でき、生産性を向上できる。しかも、サーボモータ３０Ｓを含む制御系および搬送装置４０に過大な衝撃を与えることがないので、故障や破損がなくメンテナンスフリーである。
【実施例２】
【０１００】
図４に示す一時停止期間を含むスライドモーション（Ｒｓｔｐ）である指定スライド軌跡情報ＳＬＤと、これに対応する搬送モーション（Ｒａｒ２，Ｒｃｕ２，Ｒｌｄ２）である指定搬送軌跡情報ＴＲＤとが選択された場合である。
【０１０１】
このスライドモーション（カーブＲｓｔｐ）は、プレス機械１０Ｗにおける点線で示した連続移動方式でサイン波形状のスライドモーション（カーブＲｃｎｔ）に対して、下死点（１８０度）手前の一定領域内でスライド１５を一定の高さ（位置Ｈ２）に停止させかつ一定時間（加熱時間）経過後に再びスライド１５を下降させる不連続移動方式である。例えば、ある種金属の加工前提条件（材料加熱）を満たす場合、つまり難加工材料を高能率でプレス加工する場合に採用される。
【０１０２】
スライド位置Ｈが一定の位置Ｈ２に一時的に停止されている場合でも、中断・停止なく、搬送装置４０の各搬送動作を選択軌跡（Ｒａｒ２，Ｒｃｕ２，Ｒｌｄ２）通りに継続（連続）して実行させられる。しかも、一時停止期間を除く短時間内において、大イナーシャな搬送機構（フィードバー４１等）を急速加速・高速移動・急速減速することで搬送動作を終了させなければならない非常的事態も回避することができる。
【０１０３】
すなわち、スライド１５の一時停止中であるにも拘わらず搬送動作を連続状態で確実かつ円滑に行え、無駄な搬送動作および時間を排除できる。また、不要な搬送停止動作による機械的振動やエネルギー消費を一掃できる。さらに、搬送装置４０の過度な高速化を回避できかつ搬送制御装置４５等のコスト高を回避できる。
【０１０４】
（第２の実施の形態）
この第２の実施の形態は、基本的構成・機能が第１の実施形態の場合（図１〜図３）と同様とされているが、第１の反転位置検出手段（６１，６２）と第２の反転位置検出手段（６１，６２）とを設け、工程進行制御手段（６１，６２）を各反転位置検出手段（６１，６２）によって当該各反転位置が検出されたことを条件に図３に示す工程進行開始命令Ｓｓｔを自動的に出力可能に形成してある。
【０１０５】
図５において、選択された指定スライド軌跡情報ＳＬＤがスライドモーション（カーブＲｈｆ）でかつこれに対応する指定搬送軌跡情報ＴＲＤが搬送モーション（台形状のカーブＲａｒ３，Ｒｃｕ３，Ｒｌｄ３）である場合を示す。
【０１０６】
すなわち、クランク軸１２を１回転させた場合のスライドストロークがＨｓｔであるのに対して、実際スライドストロークをその半分［＝Ｈｓｔ×（１／２）］としかつクランク軸１２を往復半回転させてプレス運転する。つまり、上死点（θ０＝０度）より低い位置でかつ下死点（θ１８０＝１８０度）を中心として正逆回転動作させる。すなわち、プレス加工領域を挟む第１の反転位置（≒θ９０）と第２の反転位置（≒θ２７０）との間で往復回動（揺動）させることで、最小的なストロークとして加工サイクルの時間短縮化を実現する。よって、加工高速化を一段と促進することができる。
【０１０７】
ここに、工程番号監視方式の第１の反転位置検出手段（６１，６２）は、クランク軸１２が時計回転方向と逆の方向に回転（左回転）している場合において、工程番号Ｎが最後の工程番号Ｎｎ以上になったことを条件（図６のＳＴ４０，ＳＴ４１でＹＥＳ）に、第１の反転位置［Ｎｎ＝Ｎ２１３（≒θ９０）］を検出する。
【０１０８】
また、第２の反転位置検出手段（６１，６２）は、クランク軸１２が時計回転方向と同じ方向に回転（右回転）している場合において、工程番号Ｎが最後の工程番号Ｎｎ以上になったことを条件（ＳＴ４０，ＳＴ４１でＹＥＳ）に、第２の反転位置［Ｎｎ＝Ｎ２１３（≒θ２７０）］を検出する。
【０１０９】
かくして、工程進行制御手段（６１，６２）は、各反転位置検出手段によって当該各反転位置（Ｎｎ）が検出されたことを条件（ＳＴ４１でＹＥＳ）に、工程進行開始命令Ｓｓｔを自動的に出力（ＳＴ４２）する。
【０１１０】
かかる構成の第２の実施形態によれば、工程番号監視方式の反転位置検出手段（６１，６２）を用いて反転位置を検出しつつ工程進行開始命令Ｓｓｔを自動的に出力させられるので、最後の工程番号Ｎｎから最初の工程番号Ｎ０への切換を瞬時に行える。
【０１１１】
そして、図５に示すように、クランク軸１２を往復半回転させるプレス運転を迅速かつ正確に行えかつスライド１５をスライドモーション（カーブＲｈｆ）通りに昇降させることができる（図３のＳＴ１０でＹＥＳ、ＳＴ１１〜）。
【０１１２】
しかして、第２の実施の形態によれば、サーボモータ駆動方式によるプレス機械１０Ｓの１つの特性［サーボモータ３０Ｓの正回転・逆回転が自在であるから必ずしも１プレス加工サイクル毎にクランク軸１２を１回転（０度〜３６０度）させる必要がない。］を巧みに利用した往復半回転方法による新規態様のプレス運転を容易かつ確実に実行させられるので、プレス高速化を一段と向上できるとともに、第１の実施形態の場合に比較して取り扱いが一段と簡単である。
【０１１３】
しかも、いずれの半回転方向においても、工程番号Ｎが最初の工程番号Ｎ０からＮｎに一定の設定スピード（Ｓｓｐ）で進行されるので、搬送動作を指定搬送軌跡情報ＴＲＤに基づく搬送モーション（カーブＲａｒ３，Ｒｃｕ３，Ｒｌｄ３）の通りに行わせることができる。
【０１１４】
因みに、プレス機械１０Ｗの場合は、プレス加工サイクル毎に検出順序［角度θ９０（θ２７０）→角度θ２７０（θ９０）］が交互に異なるので、適切なタイミング信号を生成出力することができない。すなわち、搬送装置４０が運転不能となってしまう。
【０１１５】
（第３の実施の形態）
この第３の実施の形態は、基本的構成・機能が第２の実施形態の場合（図１〜図３、図５）と同様とされかつ第１の反転位置検出手段（６１，６２）および第２の反転位置検出手段（６１，６２）がクランク角度監視方式として形成されている。
【０１１６】
すなわち、第１の反転位置検出手段（６１，６２）は、クランク角度θが９０度以下になった場合（図７のＳＴ４５，ＳＴ４６でＹＥＳ）に第１の反転位置を検出可能に形成されている。また、第２の反転位置検出手段（６１，６２）は、クランク角度θが２７０度以上になった場合（ＳＴ４５でＮＯ，ＳＴ４７でＹＥＳ）に第２の反転位置を検出可能に形成されている。なお、第１および第２の反転位置（θ）の値は、設定変更可能である。クランク角度θは、図２に示すクランク軸１２に連結されたエンコーダ１２Ｅの出力信号（回転角度相当信号θｋ）を用いて検出される。
【０１１７】
また、工程進行制御手段（６１，６２）は、各反転位置検出手段によって当該各反転位置（９０度、２７０度）が検出されたことを条件に、工程進行開始命令Ｓｓｔを自動的に出力（ＳＴ４８）する。
【０１１８】
しかして、この第３の実施形態によれば、第２の実施形態の場合と同様な作用効果を奏することができる他、さらに各反転位置検出手段が２つのクランク角度を監視する方式であるから、電子的な位置検出処理負荷を軽減することができる。
【０１１９】
（第４の実施の形態）
この第４の実施の形態は、基本的構成・機能が第１（または、第２あるいは第３）の実施形態の場合と同様とされているが、単独駆動対象選択手段（６５）と単独駆動切換制御手段（６１，６２）とを設け、スライド制御および搬送制御のいずれか一方を選択的に単独駆動可能に形成してある。
【０１２０】
単独駆動切換制御手段は、図２に示す操作部６５から形成され、スライド制御および搬送制御のいずれか一方を単独駆動対象として選択することができる。選択された単独駆動対象は、ＲＡＭ６３のワークエリアに一時記憶される。
【０１２１】
単独駆動切換制御手段（６１，６２）は、単独駆動対象選択手段（６５）を用いてスライド制御が選択された場合（図８のＳＴ２０でＹＥＳ，ＳＴ２２でＮＯ）に、現在指定スライド位置抽出手段（６１，６２）およびスライド用入力信号切換制御手段（６１，６２）を単独駆動（ＳＴ２８〜ＳＴ３２）に切換え、搬送（トランスファ）制御が選択された場合（ＳＴ２０でＹＥＳ，ＳＴ２２でＹＥＳ）には現在指定搬送位置抽出手段（６１，６２）および搬送用入力信号切換制御手段（６１，６２）を単独駆動（ＳＴ２３〜ＳＴ２７）に切換えることができる。
【０１２２】
いずれの単独駆動も、工程進行開始命令Ｓｓｔが自動的または手動で出力（“Ｈ”）された場合（ＳＴ２１でＹＥＳ）に実行可能で、運転停止命令（ＳＴ３３でＹＥＳ）で終了される。なお、単独駆動が選択されていない場合（ＳＴ２０でＮＯ）は、図３の場合（ＳＴ１０〜ＳＴ１９）と同じである（ＳＴ５０）。
【０１２３】
しかして、この第４の実施形態によれば、プレス機械１０Ｓの試打ちによるプレス加工の状況や製品の品質を、搬送装置４０と関係なく、的確に確認することができる。金型交換時のダイハイト調整等も簡単かつ安全に行える。
【０１２４】
また、搬送装置４０による新規な加工用材料のクランプ状態や搬送動作をプレス機械１０Ｓとは関係なく、的確かつ安全に確認することができる。
【０１２５】
なお、以上の第１〜第４の実施形態においては、工程進行制御手段，現在指定スライド位置抽出手段，スライド用入力信号切換制御手段，現在指定搬送位置抽出手段，搬送用入力信号切換制御手段等を主にソフトウエア的な構造（６１，６２）としたが、これらの全てまたは部分的にハードウエア的な構造（例えば、プロファイラ回路，ＦＩＦＯバッファ等）としても実施することができる。例えば、プロファイラ回路で作成された指定スライド軌跡情報ＳＬＤに基づくスライドモーションおよび指定搬送軌跡情報ＴＲＤに基づく搬送（トランスファ）モーションの各一部分を、工程番号Ｎｉが進むごとに一定範囲の情報としてＦＩＦＯ（前入れ前出し）バッファに出力することで、スライド昇降および搬送動作を工程番号Ｎに同期させて実行可能に形成すればよい。
【産業上の利用可能性】
【０１２６】
本発明は、正転・逆転、速度変化が自由で、スライド速度の低速化や一定化あるいは一時停止が可能なサーボモータ駆動方式のプレス機械１０Ｓと、加工用材料の自動搬送用の搬送装置４０とを組合せたトランスファプレス機械の普及拡大に大きく貢献できる。
【図面の簡単な説明】
【０１２７】
【図１】本発明の第１の実施形態に係る全体構成を説明するための模式図である。
【図２】同じく、主に運転制御装置（コンピュータ）を説明するためのブロック図である。
【図３】同じく、スライド昇降動作および３次元搬送動作を説明するためのフローチャートである。
【図４】同じく、実施例１（一時停止を含むスライドモーションおよび３次元搬送モーション）を説明するためのタイミングチャートである。
【図５】同じく、実施例２（反転動作を含むスライドモーションおよび３次元搬送モーション）を説明するためのタイミングチャートである。
【図６】本発明の第２の実施形態に係る工程番号監視方式の反転位置検出動作を説明するためのフロ―チャートである。
【図７】本発明の第３の実施形態に係るクランク角度監視方式の反転位置検出動作を説明するためのフローチャートである。
【図８】本発明の第４の実施形態に係る単独駆動が選択された場合の動作を説明するためのフローチャートである。
【図９】蓄積エネルギー駆動方式のプレス機械１０Ｗを説明するための図である。
【図１０】サーボモータ駆動方式のプレス機械１０Ｓを説明するための図である。
【図１１】搬送（トランスファ）動作を説明するための図である。
【図１２】従来の搬送動作用割付クランク角度を説明するための図である。
【図１３】割付クランク角度を採用した場合の従来問題点１を説明するための図である。
【図１４】割付クランク角度を採用した場合の従来問題点２を説明するための図である。
【符号の説明】
【０１２８】
１０Ｓ  プレス機械（トランスファプレス機械）
１１  本体
１２  クランク軸
１２Ｅ  エンコーダ
１５  スライド
３０Ｓ  サーボモータ（スライド昇降用モータ）
３０Ｅ  エンコーダ
３７  スライド制御装置
４０  搬送装置（トランスファプレス機械）
４１  フィードバー（搬送用部材）
４５  搬送制御装置
４６  サーボモータ（搬送用モータ）
４７  エンコーダ
６０  コンピュータ（運転制御装置）
６１  ＣＰＵ（工程進行制御手段，現在指定スライド位置抽出手段，スライド用入力信号切換制御手段，現在指定搬送位置抽出手段，搬送用入力信号切換制御手段、第１の反転位置検出手段，第２の反転位置検出手段、単独駆動切換制御手段）
６２  ＲＯＭ（工程進行制御手段，現在指定スライド位置抽出手段，スライド用入力信号切換制御手段，現在指定搬送位置抽出手段，搬送用入力信号切換制御手段、第１の反転位置検出手段，第２の反転位置検出手段、単独駆動切換制御手段）
６４Ｍ  指定情報記憶手段
６５  操作部（単独駆動対象選択手段）
Ｎ  工程番号
ＳＬＤ  指定スライド軌跡情報
ＴＲＤ  指定搬送軌跡情報
【図１】
2005297010.tif 000003
【図２】
2005297010.tif 000004
【図３】
2005297010.tif 000005
【図４】
2005297010.tif 000006
【図５】
2005297010.tif 000007
【図６】
2005297010.tif 000008
【図７】
2005297010.tif 000009
【図８】
2005297010.tif 000010
【図９】
2005297010.tif 000011
【図１０】
2005297010.tif 000012
【図１１】
2005297010.tif 000013
【図１２】
2005297010.tif 000014
【図１３】
2005297010.tif 000015
【図１４】
2005297010.tif 000016